(57)【要約】  【課題】重量を極端に大きくすることなく、隣り合う護岸構築用ブロックとの結合を強めて、全体として崩壊しにくい護岸を構築できるようにする。  【解決手段】上側部位（頂角α１側）と下側部位（頂角α２側）との各側面にそれぞれ、凹部１０（２０）と凸部１１（２１）とから構成される噛み合わせ構造Ｋ１、Ｋ２が形成される。上側部位の噛み合わせ構造Ｋ１は凸部１１が下で凹部１０が上に位置するように設定される。下側部位の噛み合わせ構造Ｋ２は、凸部２１が上で凹部２０が下に位置するように設定される。上側部位および下側部位の噛み合わせ構造Ｋ１、Ｋ２がそれぞれ、平面視において、頂角をなす２辺に対応した一対の側面に形成されることにより略Ｖ字状に形成される。下側に配置されるブロックＢの凸部１１上に、上側に配置されるブロックＢの凸部２１が上方から重なるように係合される。【選択図】  図１
2017043922.tif 000002
【特許請求の範囲】
【請求項１】
法面上に上下左右に並べて配置されて護岸を構築するための護岸構築用ブロックであって、
上側部位と下側部位との各側面にそれぞれ、凹部と凸部とから構成されて上下方向の重なり部分を構成するための噛み合わせ構造が形成され、
前記上側部位の前記噛み合わせ構造は前記凸部が下で前記凹部が上に位置するように設定される一方、前記下側部位の前記噛み合わせ構造は前記凸部が上で前記凹部が下に位置するように設定され、
前記上側部位および前記下側部位の噛み合わせ構造がそれぞれ、平面視において、頂角をなす２辺に対応した一対の側面に形成されることにより略Ｖ字状に形成されている、
ことを特徴とする護岸構築用ブロック。
【請求項２】
請求項１において、
護岸構築用ブロックは、平面視において左右対称形状とされて、上下に隣り合うもの同士が互いに左右に１／２個分ずれて配置されるように設定されている、ことを特徴とする護岸構築用ブロック。
【請求項３】
請求項２において、
平面視において、前記凸部を含んだ上面と下面との各形状が、前記上側部位と前記下側部位とにそれぞれ頂角を有する六角形状とされ、
前記上側部位の前記噛み合わせ構造は上側の２つの２辺に対応した一対の側面に形成され、
前記下側部位の前記噛み合わせ構造は下側の２つの２辺に対応した一対の側面に形成され、
左右の２辺に対応した一対の側面はそれぞれ上下方向に伸びる平坦面とされている、
ことを特徴とする護岸構築用ブロック。
【請求項４】
請求項３において、
前記上側の２辺と前記下側の２辺とに対応した各側面の上部にそれぞれ、他の護岸構築用ブロックに対する連結用のアンカが一体化されている、ことを特徴とする護岸構築用ブロック。
【請求項５】
請求項４において、
前記前記上側の２辺と前記下側の２辺とに対応した各側面の上部にそれぞれ、収納凹部が形成され、
前記収納凹部内に位置するように、前記アンカが配設されている、
ことを特徴とする護岸構築用ブロック。
【請求項６】
請求項２ないし請求項５のいずれかに記載の護岸構築用ブロックを上下左右に並べて構築されると共に、上下の護岸構築用ブロック同士が互いに１／２個分左右にずれた配置関係とされる護岸構造であって、
下側に位置する護岸構築用ブロックにおける前記上側部位の前記凸部上に、上側に位置する護岸構築用ブロックにおける前記下側部位の前記凸部が上方から重なるように配置されている、
ことを特徴とする護岸構造。
【請求項７】
請求項６において、
もっとも下側に位置される前記護岸構築用ブロックを受ける基礎台座を備え、
前記基礎台座のうち前記護岸構築用ブロックを受ける受け面に、前記護岸構築用ブロックにおける前記上側部位における前記噛み合わせ構造に対応した凹部と凸部とからなる噛み合わせ構造が形成されて、該基礎台座と該護岸構築用ブロックとが上下に噛み合っている、
ことを特徴とする護岸構造。
【発明の詳細な説明】
【技術分野】
【０００１】
本発明は、護岸構築用ブロックおよびこれを用いた護岸構造に関するものである。
【背景技術】
【０００２】
河川や海岸等用の護岸の中には、例えば特許文献１に示すように、コンクリートにより形成された護岸構築用ブロックを法面上に上下左右に並べて構成したものがある。特に、１つの護岸構築用ブロックの重量を大きくする一方、上下の縁部あるいは左右の縁部に対して、凹部と凸部とからなる噛み合わせ構造を採用して、この噛み合わせ構造部分が隣り合う護岸構築用ブロックの噛み合わせ構造部分と噛み合うように配設することも行われている。
【先行技術文献】
【特許文献】
【０００３】
【特許文献１】特開２００７−２６２７７３号公報
【発明の概要】
【発明が解決しようとする課題】
【０００４】
護岸構築用ブロックにおける従来の噛み合わせ構造は、上下方向に直線的に伸びるか、左右方向に直線的に伸びるようにされていることから、隣り合う護岸構築用ブロックとの間での強固な結合という点では必ずしも十分に満足のいかないものであった。このため、大きな洪水が発生した場合には、護岸構築用ブロックが比較的容易に動かされてしまう事態が生じやすいものとなる。そして、１つの護岸構築用ブロックが動いてしまうと、その周囲の護岸構築用ブロックの下方に水がより浸入しやすくなって護岸構築用ブロックを浮き上がってしまうことになり、結果として護岸が崩壊されやすくなる。
【０００５】
なお、護岸構築用ブロック１つあたりの重量を極めて大きくすることにより、移動防止や浮き上がり防止を行うことも考えられるが、１つの護岸構築用ブロックの重量を例えば５ｔ（トン）〜１０ｔというように極端に大きくすることは施工性等の観点から問題があり、事実上採用し難いものである。
【０００６】
本発明は以上のような事情を勘案してなされたもので、その目的は、１つの護岸構築用ブロックの重量を極端に大きくすることなく、隣り合う護岸構築用ブロックとの結合を強めて、全体として崩壊しにくい護岸を構築できるようにした護岸構築用ブロックおよびこれを用いた護岸構造を提供することにある。
【課題を解決するための手段】
【０００７】
前記目的を達成するため、本発明における護岸構築用ブロックにあっては次のような解決手法を採択してある。すなわち、請求項１に記載のように、
法面上に上下左右に並べて配置されて護岸を構築するための護岸構築用ブロックであって、
上側部位と下側部位との各側面にそれぞれ、凹部と凸部とから構成されて上下方向の重なり部分を構成するための噛み合わせ構造が形成され、
前記上側部位の前記噛み合わせ構造は前記凸部が下で前記凹部が上に位置するように設定される一方、前記下側部位の前記噛み合わせ構造は前記凸部が上で前記凹部が下に位置するように設定され、
前記上側部位および前記下側部位の噛み合わせ構造がそれぞれ、平面視において、頂角をなす２辺に対応した一対の側面に形成されることにより略Ｖ字状に形成されている、
ようにしてある。
【０００８】
上記解決手法によれば、護岸構築用ブロックは、護岸構築のために上下左右に並べて配置された際に、その上側部位と下側部位とが隣り合う他の護岸構築用ブロックと噛み合わせ構造でもって噛み合うことになる。そして、上側部位と下側部位との各噛み合わせ構造（つまり凸部と凹部）はそれぞれ、上下方向および左右方向に対して傾斜されると共に互いに異なる方向に伸びる一対分設定されているので、上下方向、左右方向、斜め方向の各方向からの大きな外力に対して、隣り合う他の護岸構築用ブロックと共働して強固に抵抗する作用が高められて、その移動や浮き上がりが防止されることになる。これにより、個々の護岸構築用ブロックの重量をいたずらに大きくすることなく、大きな洪水等によって護岸が崩壊されてしまう事態を防止することができる。
【０００９】
上記解決手法を前提とした好ましい態様は、特許請求の範囲における請求項２以下に記載のとおりである。すなわち、
護岸構築用ブロックは、平面視において左右対称形状とされて、上下に隣り合うもの同士が互いに左右に１／２個分ずれて配置されるように設定されている、ようにしてある（請求項２対応）。この場合、護岸構築用ブロックをいわゆる千鳥配置して、その移動や浮き上がりをより一層防止する上で好ましいものとなる。特に、上側部位における一対の噛み合わせ構造は、上側に位置する左右２つの他の護岸構築用ブロックと噛み合うことになり、また下側部位における一対の噛み合わせ構造は、下側に位置する左右２つの他の護岸構築用ブロックと噛み合うことになるので、移動防止や浮き上がり防止の上で極めて効果的となる。
【００１０】
平面視において、前記凸部を含んだ上面と下面との各形状が、前記上側部位と前記下側部位とにそれぞれ頂角を有する六角形状とされ、
前記上側部位の前記噛み合わせ構造は上側の２つの２辺に対応した一対の側面に形成され、
前記下側部位の前記噛み合わせ構造は下側の２つの２辺に対応した一対の側面に形成され、
左右の２辺に対応した一対の側面はそれぞれ上下方向に伸びる平坦面とされている、
ようにしてある（請求項３対応）。この場合、護岸構築用ブロックの具体的な形状が提供される。また、１つの護岸構築用ブロックの周囲に位置する隣り合う他の護岸構築用ブロックが合計６個というように非常に数多く存在されるので、全体として強固な護岸を構築する上で極めて好ましいものとなる。
【００１１】
前記上側の２辺と前記下側の２辺とに対応した各側面の上部にそれぞれ、他の護岸構築用ブロックに対する連結用のアンカが一体化されている、ようにしてある（請求項４対応）。この場合、隣り合う他の護岸構築用ブロックに対して、噛み合わせ構造となる部位でもってアンカにより連結することができて、この噛み合わせを確実に維持させて、移動防止や浮き上がり防止の上でより一層好ましいものとなる。
【００１２】
前記前記上側の２辺と前記下側の２辺とに対応した各側面の上部にそれぞれ、収納凹部が形成され、
前記収納凹部内に位置するように、前記アンカが配設されている、
ようにしてある（請求項５対応）。この場合、アンカを護岸構築用ブロックの側面から大きく突出させないようにして、護岸構築用ブロックを配設する作業性向上等の上で好ましいものとなる。
【００１３】
前記目的を達成するため、本発明における護岸構造にあっては次のような解決手法を採択してある。すなわち、請求項６に記載のように、
請求項２ないし請求項５のいずれかに記載の護岸構築用ブロックを上下左右に並べて構築されると共に、上下の護岸構築用ブロック同士が互いに１／２個分左右にずれた配置関係とされる護岸構造であって、
下側に位置する護岸構築用ブロックにおける前記上側部位の前記凸部上に、上側に位置する護岸構築用ブロックにおける前記下側部位の前記凸部が上方から重なるように配置されている、
ようにしてある（請求項７対応）。この場合、前述した護岸構築用ブロックを用いることの利点を得て、強固な護岸構造を提供することができる。また、護岸構築用ブロックは、下側から上側へと順次配設されていくのが通常であるが、この場合、下側の護岸構築用ブロックにおける噛み合わせ構造を構成する凸部が邪魔になることなく、上側に配設される護岸構築用ブロックにおける噛み合わせ構造を構成する凸部を上方から重ねることができ、護岸構築用ブロックの配設作業を容易に行う等の上でも好ましいものとなる。
【００１４】
上記解決手法を前提とした好ましい態様は、次のとおりである。すなわち、
もっとも下側に位置される前記護岸構築用ブロックを受ける基礎台座を備え、
前記基礎台座のうち前記護岸構築用ブロックを受ける受け面に、前記護岸構築用ブロックにおける前記上側部位における前記噛み合わせ構造に対応した凹部と凸部とからなる噛み合わせ構造が形成されて、該基礎台座と該護岸構築用ブロックとが上下に噛み合っている、
ようにしてある（請求項７対応）。この場合、もっとも下側に位置する護岸構築用ブロックと基礎台座との間でも噛み合わせ構造を採択して、基礎台座を含めて全体としてより強固な護岸構造を形成することができる。
【発明の効果】
【００１５】
本発明によれば、１つの護岸構築用ブロックの重量を極端に大きくすることなく、隣り合う護岸構築用ブロックとの結合を強めて、全体として崩壊しにくい護岸を構築するための護岸構築用ブロックおよび護岸構造を提供することができる。
【図面の簡単な説明】
【００１６】
【図１】本発明による護岸構築用ブロックの一例を示すもので、下方からの斜視図。
【図２】図１に示す護岸構築用ブロックの上方からの斜視図。
【図３】図１に示す護岸構築用ブロックの平面図。
【図４】図３の底面図。
【図５】図３の正面図。
【図６】図３の左側面図。
【図７】図３のＸ７−Ｘ７線相当断面図。
【図８】図３のＸ８−Ｘ８線相当断面図。
【図９】図３に示す護岸構築用ブロックを千鳥配置で上下左右に並べた状態を示す図。
【図１０】図９のＸ１０−Ｘ１０線相当断面図。
【図１１】図３に示す護岸構築用ブロックによって構成された護岸構造をその縁部を含めて示す平面図。
【図１２】本発明の変形例を示すもので、図３に対応した平面図。
【図１３】図１２を下方から見た正面図。
【図１４】図１２を右方から見た右側面図。
【図１５】図１２に示す護岸構築用ブロックを千鳥配置で上下左右に並べる状態を示す平面図。
【図１６】護岸構築用ブロックと噛み合わせ構造を有する基礎台座を構成するための型枠の一例を示す正面図。
【図１７】図１６に示す型枠の背面図。
【図１８】図１６に示す型枠の正面図。
【図１９】図１８のＸ１９−Ｘ１９線相当断面図。
【図２０】図１８のＸ２０−Ｘ２０線相当断面図。
【図２１】型枠に対して噛み合わせ構造でもって護岸構築用ブロックを支持させた状態を示す要部断面側面図。
【発明を実施するための形態】
【００１７】
図１〜図８は、本発明による護岸構築用ブロックＢの一例を示すものである。本実施形態では、全体的に、薄い２つの正六角柱状体を若干上下にずらした状態で積層した形状とされて、そのずらし方向が、対角線上にある上下２つの頂角α１とα２とを結ぶ方向とされている。このような護岸構築用ブロックＢは、コンクリートによる一体化物とされて、その厚さは５０ｃｍ程度、面積は２．６平方ｍ程度、重量は２ｔ（トン）〜３ｔ程度とされている。
【００１８】
頂角α１つまり上側部位に対応して、上側の噛み合わせ構造Ｋ１が構成されている。また、頂角α２つまり下側部位に対応して、下側の噛み合わせ構造Ｋ２が構成されている。
【００１９】
上側の噛み合わせ構造Ｋ１は、凹部１０と凸部１１とから構成されて、頂角α１を構成する２辺に対応した一対の側面に形成されている。凸部１１は、護岸構築用ブロックＢの下部に形成されていて、その上面は、先端に向かうにつれて徐々に低くなる傾斜面１１ａとされている。
【００２０】
下側の噛み合わせ構造Ｋ２は、凹部２０と凸部２１とから構成されて、頂角α２を構成する２辺に対応した一対の側面に形成されている。凸部２１は、護岸構築用ブロックＢの上部に形成されていて、その下面は、先端に向かうにつれて徐々に高くなる（厚さが徐々に小さくなる）傾斜面２１ａとされている。
【００２１】
図１０は、同様に構成された２つの護岸構築用ブロックＢ同士を、左右方向に１／２個分だけずらした状態で上下に接近状態で配設したときの結合状態を示す。この図１０に示すように、上側の噛み合わせ構造Ｋ１における凸部１１は、他の護岸構築用ブロックＢにおける下側の凹部２０内に挿入可能とされて、一方の護岸構築用ブロックＢの凸部１１と他方の護岸構築用ブロックＢの凸部２１とが上下方向に重なる関係とされる。
【００２２】
頂角α１を構成する２辺に対応した側面の上部には、鉄筋によって略Ｕ字状とされたアンカ３１が一体化されている。具体的には、上記２辺に対応した側面には収納凹部３２が形成されて、この収納凹部３２内にアンカ３１が収納されて、アンカ３１が護岸構築用ブロックＢの側面から突出しないようにされている。頂角α２を構成する２辺に対応した側面の上部にも、上記の場合と同様に、収納凹部３２とアンカ３１とが設けられている。
【００２３】
以上のように構成された護岸構築用ブロックＢは、図９に示すように、法面上に、上下左右に多数並べて法面を全体的に覆うように配設される。護岸構築用ブロックＢは、下側から上側へと順次配設される。下側の護岸構築用ブロックＢに対して上側の護岸構築用ブロックＢを配設する場合は、左右に１／２個分ずらして配設されて、全体としては千鳥配置とされる。そして、隣り合う護岸構築用ブロックＢのアンカ３１同士が、シャックル等の連結具（図示略）によって連結される。アンカ３１同士を連結した後に、隣り合う護岸構築用ブロックＢ同士の間の隙間は、コンクリート等の目地材によって塞がれて、この隙間を通して水が護岸構築用ブロックＢの下方側へと進入することが防止あるいは抑制される。
【００２４】
下側の護岸構築用ブロックＢに対して上側の護岸構築用ブロックＢを配設する場合、下側に位置する護岸構築用ブロックＢの凸部１１が下部という低い位置に位置する一方、上側に配設される護岸構築用ブロックＢの凸部２１は上部という高い位置に位置されているので、当該凸部１１上に凸部２１が重なるように上側の護岸構築用ブロックＢを配設する作業は容易である。また、各凸部１１の傾斜面１１ａと凸部２１の傾斜面２１ａによって、凸部１１と２１とが上下に重なるように上側の護岸構築用ブロックＢを配設する作業がより容易となる。
【００２５】
ここで、ある１つの護岸構築用ブロックＢに着目した場合、同一高さ位置で左右に他の護岸構築用ブロックＢが位置し、下側位置では噛み合わせ構造Ｋ１、Ｋ２でもってか噛み合わせが行われた他の左右一対の護岸構築用ブロックＢが位置し、上側位置では噛み合わせ構造Ｋ１、Ｋ２でもって噛み合わせが行われた他の左右一対の護岸構築用ブロックＢが位置して、護岸構築用ブロックＢ同士が強固に結合された関係となる。これにより、大きな洪水が発生した場合等にあっても、護岸構築用ブロックＢそのものの移動や浮き上がりが防止されて、護岸が破壊されてしまう事態が防止されることになる。
【００２６】
とりわけ、護岸構築用ブロックＢの上下の噛み合わせ構造Ｋ１、Ｋ２はそれぞれ、互いに異なる方向に伸びるように左右一対有するようにされていると共に、上下方向および左右方向に対して傾斜しているので、噛み合わせ構造が上下方向あるいは左右方向に直線的に構成される場合に比して、種々の方向からの外力に対してより強固に抵抗して、護岸が破壊されてしまう事態を効果的に防止できることになる。
【００２７】
図１１は、護岸構築用ブロックＢを用いて構成される護岸の端縁部の構成を示すもので、端縁部分を構成するための端縁構成部Ｃについてはそれぞれ、護岸構築用ブロックＢの一部を除去した形状のものを利用したり、あるいは現場でのコンクリート打ちによって形成することができる。なお、図１１の配置は、護岸の端縁部の構成を示すために小さい面積でもって示してあるが、実際には、護岸構築用ブロックＢはより数多く存在して大きな面積とされるものである。
【００２８】
図１２〜図１５は、護岸構築用ブロックＢの変形例を示すもので、前記実施形態と同一構成要素には同一符号を付してその重複した説明は省略する。本例における護岸構築用ブロックＢ２は、その上縁角部に、全周に渡って伸びる浅い溝部４０を形成したものとなっている。この護岸構築用ブロックＢ２を図１５のように上下左右に並べて護岸を構成した際に、隣り合う護岸構築用ブロックＢ２の間には太幅の隙間が形成されるが、この部分が目地材４１によって塞がれるようになっている。本例の場合、目地材４１の幅や厚さ（深さ）を十分確保して、隣り合う護岸構築用ブロックＢ２の隙間から水が下方へと侵入してしまう事態を長期に渡って確保する上で好ましいものとなる。
【００２９】
図１６〜図２０は、護岸を構築する際に設けられる基礎台座を形成するために用いて好適な型枠部材６０を示し、型枠部材６０を用いて構築された基礎台座が、図２１において符号７０で示される。なお、図１６〜図２０では、型枠部材６０は、左右２個分の護岸構築用ブロックＢ（あるいはＢ２で、以下同じ）に対応したものを示してあり、実際には、左右方向に位置する護岸構築用ブロックＢの数に応じた長さに設定される。
【００３０】
基礎台座７０は、もっとも下側に位置する護岸構築用ブロックＢに対して、噛み合わせ構造によって噛み合わされるようにしたものである。すなわち、基礎台座７０の受け面（護岸構築用ブロックＢを支持する受け面）部分には、護岸構築用ブロックＢの上側部位における噛み合わせ構造Ｋ１と同様に構成された噛み合わせ構造Ｋ１１（凹部１０と凸部１１とを有する）を構成するようにしてある。これにより、基礎台座７０とこれに支持されるもっとも下側の護岸構築用ブロックＢとの結合がより高まって、護岸崩壊を防止する上でより一層好ましいものとなる。
【００３１】
上記型枠部材６０について説明すると、型枠部材６０は、大別して、表面部材６１と、表面部材６１と間隔をあけて配置された背面部材６２と、両部材６１と６２とを連結するロッド、板材等等からなる連結部材６３と、を有する。表面部材６１は、コンクリートによってあらかじめ形成されていて、上述した噛み合わせ構造Ｋ１１を有するものとなっている。そして、表面部材６１と背面部材６２との間の空間にコンクリート６５を流し込むことにより、図２１に示すような基礎台座７０が形成されることになる。
【００３２】
以上実施形態について説明したが、本発明は、実施形態に限定されるものではなく、特許請求の範囲の記載された範囲において適宜の変更が可能である。実施形態において、護岸構築用ブロックの上面、下面の形状はそれぞれ正六角形としたが、これは略正六角形の場合を含むものであり、その一部の辺に凹凸を有する形状であったり、頂角部分が鋭角でなく、湾曲されていたり短い直線にされる等の場合をも含むものである。また、護岸構築用ブロックの形状は、例えば、実施形態の場合に比して上下方向に細長くした六角形状、左右方向に太幅にした六角形状の他、ひし形形状（実施形態において、直線状の左右の２辺を有しない形状）等、適宜の形状を含むものである（特に、異なる形状の他の護岸構築用ブロックと組み合わせて使用される場合は、種々の形状のものを採択し得る）。護岸構築用ブロックの形状としては、上側部位と下側部位とにそれぞれ頂角を有する形状で、法面上に上下左右に並べた状態での平面視において上下対称かつ左右対称となるような形状としておくのが、同一形状の護岸構築用ブロックを用いて護岸を構成できるようにする上で好ましいものとなる。噛み合わせ構造が構成される２辺部分を構成する頂角は、凸部分である場合に限らず、凹部分であってもよい（空間部位となる三角形状の凹部分を区画する一対の側面に噛み合わせ構造を形成）。勿論、本発明の目的は、明記されたものに限らず、実質的に好ましいあるいは利点として表現されたものを提供することをも暗黙的に含むものである。
【産業上の利用可能性】
【００３３】
本発明は、容易には崩壊されない強固な護岸構造を構築する上で好適である。
【符号の説明】
【００３４】
Ｂ：護岸構築用ブロック
Ｂ２：護岸構築用ブロック（図１２〜図１５）
α１：上側の頂角
α２：下側の頂角
Ｋ１：噛み合わせ構造（上側部位用）
Ｋ２：噛み合わせ構造（下側部位用）
Ｋ１１：噛み合わせ構造（基礎台座用で、図１６〜図２１）
１０：凹部（上側部位用）
１１：凸部（上側部位用）
１１ａ：傾斜面
２０：凹部（下側部位用）
２１：凸部（下側部位用）
２１ａ：傾斜面
３１：アンカ
２１：収納凹部
４０：溝部（目地材充填用で、図１２〜図１４）
４１：目地材（図１５）
６０：型枠部材
６１：表面部材（噛み合わせ構造Ｋ１１形成）
６２：背面部材
６３：連結部材
６５：コンクリート
７０：基礎台座
【図１】
2017043922.tif 000003
【図２】
2017043922.tif 000004
【図３】
2017043922.tif 000005
【図４】
2017043922.tif 000006
【図５】
2017043922.tif 000007
【図６】
2017043922.tif 000008
【図７】
2017043922.tif 000009
【図８】
2017043922.tif 000010
【図９】
2017043922.tif 000011
【図１０】
2017043922.tif 000012
【図１１】
2017043922.tif 000013
【図１２】
2017043922.tif 000014
【図１３】
2017043922.tif 000015
【図１４】
2017043922.tif 000016
【図１５】
2017043922.tif 000017
【図１６】
2017043922.tif 000018
【図１７】
2017043922.tif 000019
【図１８】
2017043922.tif 000020
【図１９】
2017043922.tif 000021
【図２０】
2017043922.tif 000022
【図２１】
2017043922.tif 000023